(57)【要約】  ベース（１）、２対の対向する側板（２、３）及び蓋（４）を含み、２対の対向する側板（２、３）は、いずれもベース（１）に接続されており、蓋（４）は、ロック装置（７）を介して側板（２）の頂部にロックされることができ、容器（１００）の４つの頂角のいずれにも、ロック装置（７）が１つずつ設けられ、４つのロック装置（７）は、蓋（４）の対応する対角線に沿って２つずつ対向して配置されており、それぞれのロック装置（７）は、蓋（４）に設置される１つのロッキングタング部材（８）と対応する側板（２）に設置される１つのロッキングスロット（１０）を含み、ロッキングタング部材（８）は、ロッキングタング（８０３）を有し、ロッキングタング（８０３）がロッキングスロット（１０）に差し込まれることにより、蓋（４）が側板（２）にロックされることができるように、且つロッキングタング（８０３）がロッキングスロット（１０）から離脱されることにより、蓋（４）をアンロックすることができるように、蓋（４）に対して移動可能に配置され、それぞれのロッキングスロット（１０）は、蓋（４）の対応する対角線方向に沿って、外へ側板（２）から延出している容器（１００）。該容器（１００）の蓋（４）がいずれかの方向からアンロックされることができる。【選択図】図１
2021512823.tif 000002
【特許請求の範囲】
【請求項１】
ベースと、２対の対向する側板及び蓋を含み、２対の対向する前記側板は、いずれも前記ベースに接続されており、前記蓋は、ロック装置を介して前記側板の頂部にロックされることができ、前記容器の４つの頂角のいずれにも、前記ロック装置が１つずつ設けられている容器であって、
４つの前記ロック装置は、前記蓋の対応する対角線に沿って２つずつ対向して配置されており、
それぞれの前記ロック装置は、前記蓋に設置される１つのロッキングタング部材と、対応する前記側板に設置される１つのロッキングスロットを含み、
前記ロッキングタング部材は、ロッキングタングを有し、前記ロッキングタングが前記ロッキングスロットに差し込まれることにより、前記蓋が前記側板にロックされることができ、且つ前記ロッキングタングが前記ロッキングスロットから離脱されることにより、前記蓋をアンロックすることができるように、前記蓋に対して移動可能に配置され、
それぞれの前記ロッキングスロットは、前記蓋の対応する対角線方向に沿って、外へ前記側板から延出していることを特徴とする容器。
【請求項２】
前記容器の角部毎に、前記蓋から上に突出する１つの突起が設けられ、すべての前記突起の外部形状が同じであり、
それぞれの前記突起の形状は、前記蓋の対応する対角線に関して対称であり、
前記ロック装置は、前記突起の内に取り付けられ、前記容器のベースの４つの角部に、位置及び形状が前記突起の位置及び形状に合わせる窪みが設けられていることを特徴とする請求項１に記載の容器。
【請求項３】
前記突起は、前記蓋から上に一体的に突出することを特徴とする請求項２に記載の容器。
【請求項４】
それぞれの前記ロッキングスロットは、前記蓋の対応する対角線に関して対称であることを特徴とする請求項１に記載の容器。
【請求項５】
前記ロック装置は、操作部材及び回復部材をさらに有し、
前記操作部材は、前記蓋にスライド可能に取り付けられ、前記ロッキングタング部材と接続され、
前記回復部材は、前記操作部材が緩められた後に前記ロッキングタング部材がリセットされるように配置されていることを特徴とする請求項１に記載の容器。
【請求項６】
前記ロッキングタング部材は、棒状本体を有し、該棒状本体の一端から下に垂直棒が延出し、該垂直棒の末端から前記棒状本体に平行な方向に沿って前記棒状本体の他端に向けてロッキングタングが延出し、前記ロッキングタング部材の前記棒状本体に取付孔が設けられ、前記操作部材は、板状本体を有し、前記板状本体の一端に、下に凹む操作部が設けられ、前記板状本体の他端の両側に下に延びる側壁が形成され、前記側壁の下縁にガイドレールが設けられ、前記ガイドレールは、前記蓋の内にスライド可能に取り付けられ、前記板状本体の中部から下に取付柱が延出し、前記取付柱が前記取付孔に挿入されることを特徴とする請求項５に記載の容器。
【請求項７】
前記容器は、長さが８００ｍｍよりも大きく、幅が６００ｍｍよりも大きく、高さが５００ｍｍよりも大きい容器であることを特徴とする請求項１に記載の容器。
【請求項８】
ベースと、２対の対向する側板及び蓋を含み、
２対の対向する前記側板は、いずれも前記ベースに接続されており、
前記蓋は、ロック装置を介して前記側板の頂部にロックされることができ、前記容器の４つの頂角のいずれにも、前記ロック装置が１つずつ設けられている容器であって、
それぞれの前記ロック装置は、前記蓋に設置される１つのロッキングタング部材と、対応する前記側板に設置される１つのロッキングスロットを含み、
前記ロッキングタング部材は、ロッキングタングを有し、
前記ロッキングタングが前記ロッキングスロットに差し込まれることにより、前記蓋が前記側板にロックされることができ、且つ前記ロッキングタングが前記ロッキングスロットから離脱されることにより、前記蓋をアンロックすることができるように、前記蓋に対して移動可能に配置され、
２対の相対する側板のうちの１対の側板のうちのそれぞれの側板の上部の両端に、前記ロッキングスロットが１つずつ設けられ、
前記ロッキングスロットが凹溝であり、
該凹溝の一端は、該側板の縁から所定の距離にあり、
該凹溝の他端は、前記蓋に平行な方向に沿って、該側板の縁から延出し、前記ロッキングスロットが設けられる１対の相対する側板のうちの１つの側板と同じ側に配置される２つの前記ロック装置のアンロック方向は同じであり、
該アンロック方向は、該対の相対する側板のうちのもう１つの側板と同じ側に配置される２つのロック装置のアンロック方向とは反対であることを特徴とする容器。
【請求項９】
前記容器の角部毎に、前記蓋から上に突出する１つの突起が設けられ、
すべての前記突起の外部形状が同じであり、
それぞれの前記突起の形状は、前記蓋の対応する対角線に関して対称であり、
前記ロック装置は、前記突起の内に取り付けられ、
前記容器のベースの４つの角部に、位置及び形状が前記突起の位置及び形状に合わせる窪みが設けられていることを特徴とする請求項８に記載の容器。
【請求項１０】
前記突起は、前記蓋から上に一体的に突出することを特徴とする請求項９に記載の容器。
【請求項１１】
前記ロック装置は、操作部材及び回復部材をさらに有し、
前記操作部材は、前記蓋にスライド可能に取り付けられ、前記ロッキングタング部材と接続され、
前記回復部材は、前記操作部材が緩められた後に前記ロッキングタング部材がリセットされるように配置されていることを特徴とする請求項８に記載の容器。
【請求項１２】
前記ロッキングタング部材は、棒状本体を有し、
該棒状本体の一端から下に垂直棒が延出し、該垂直棒の末端から前記棒状本体に平行な方向に沿って前記棒状本体の他端に向けてロッキングタングが延出し、
前記ロッキングタング部材の前記棒状本体に取付孔が設けられ、
前記操作部材は、板状本体を有し、前記板状本体の一端に、下に凹む操作部が設けられ、前記板状本体の他端の両側に下に延びる側壁が形成され、前記側壁の下縁にガイドレールが設けられ、
前記ガイドレールは、前記蓋の内にスライド可能に取り付けられ、前記板状本体の中部から下に取付柱が延出し、前記取付柱が前記取付孔に挿入されることを特徴とする請求項１１に記載の容器。
【請求項１３】
前記容器は、長さが８００ｍｍよりも大きく、幅が６００ｍｍよりも大きく、高さが５００ｍｍよりも大きい容器であることを特徴とする請求項９に記載の容器。
【請求項１４】
ベースと、２対の対向する側板及び蓋を含み、
２対の対向する前記側板は、いずれも前記ベースに接続されており、
前記蓋は、ロック装置を介して前記側板の頂部にロックされることができ、前記容器の４つの頂角のいずれにも、前記ロック装置が１つずつ設けられている容器であって、
それぞれの前記ロック装置は、前記蓋に設置される１つのロッキングタング部材と、対応する前記側板に設置される１つのロッキングスロットを含み、
前記ロッキングタング部材は、ロッキングタングを有し、
前記ロッキングタングが前記ロッキングスロットに差し込まれることにより、前記蓋が前記側板にロックされることができ、且つ前記ロッキングタングが前記ロッキングスロットから離脱されることにより、前記蓋をアンロックすることができるように、前記蓋に対して移動可能に配置され、２対の相対する側板のうちの１対の側板のうちのそれぞれの側板の上部の両端に、前記ロッキングスロットが１つずつ設けられ、
前記ロッキングスロットが前記側板の上部両端に設けられる凹溝であり、
該凹溝の一端は、該側板の縁から所定の距離にあり、且つ該凹溝の他端は、ガイド斜面が設けられ、
前記ロッキングスロットが設けられる１対の相対する側板のうちの１つの側板と同じ側に配置される２つの前記ロック装置のアンロック方向は同じであり、且つ該アンロック方向は、該対の相対する側板のうちのもう１つの側板と同じ側に配置される２つのロック装置のアンロック方向とは反対であることを特徴とする容器。
【請求項１５】
前記容器の角部毎に、前記蓋から上に突出する１つの突起が設けられ、すべての前記突起の外部形状が同じであり、
それぞれの前記突起の形状は、前記蓋の対応する対角線に関して対称であり、
前記ロック装置は、前記突起の内に取り付けられ、前記容器のベースの４つの角部に、位置及び形状が前記突起の位置及び形状に合わせる窪みが設けられていることを特徴とする請求項１４に記載の容器。
【請求項１６】
前記突起は、前記蓋から上に一体的に突出することを特徴とする請求項１５に記載の容器。
【請求項１７】
前記ロック装置は、操作部材及び回復部材をさらに有し、
前記操作部材は、前記蓋にスライド可能に取り付けられ、前記ロッキングタング部材と接続され、
前記回復部材は、前記操作部材が緩められた後に前記ロッキングタング部材がリセットされるように配置されていることを特徴とする請求項１４に記載の容器。
【請求項１８】
前記ロッキングタング部材は、棒状本体を有し、
該棒状本体の一端から下に垂直棒が延出し、該垂直棒の末端から前記棒状本体に平行な方向に沿って前記棒状本体の他端に向けてロッキングタングが延出し、前記ロッキングタング部材の前記棒状本体に取付孔が設けられ、
前記操作部材は、板状本体を有し、前記板状本体の一端に、下に凹む操作部が設けられ、前記板状本体の他端の両側に下に延びる側壁が形成され、前記側壁の下縁にガイドレールが設けられ、
前記ガイドレールは、前記蓋の内にスライド可能に取り付けられ、前記板状本体の中部から下に取付柱が延出し、前記取付柱が前記取付孔に挿入されることを特徴とする請求項１７に記載の容器。
【請求項１９】
前記容器は、長さが８００ｍｍよりも大きく、幅が６００ｍｍよりも大きく、高さが５００ｍｍよりも大きい容器であることを特徴とする請求項１４に記載の容器。
【発明の詳細な説明】
【技術分野】
【０００１】
関連出願の相互参照
本特許出願は、２０１８年０２月０９日に出願された、出願番号が２０１８１０１３５８１５．９であり、発明名称が「容器」である中国特許出願の優先権を主張し、上記出願の全文を参照するように本明細書に援用する。
本発明は、本発明は、物流輸送の分野に関し、具体的には、容器に関するものである。
【背景技術】
【０００２】
複合材料からなる大型の容器を用いて貨物を梱包、輸送及び貯蔵することは、一部の工業生産において常用の方法であり、これらの容器は、プラスチックの側板と底を有し、側板と底に金属パイプ材を配置して補強を行うことが多い。液体貨物を盛る必要がある場合に、１つのライナーバッグを使用して箱体内に広げ、その後、液体貨物をライナーバッグに充填することができる。貨物を盛った後に、容器に１つの蓋を配置することによって、箱体内の貨物を保護し、雨水、埃などが貨物を汚染するのを防止することが多い。さらに、容器が折畳可能な構造の形態又は折畳不可能な構造の形態であるかに拘らず、箱体に接続される蓋は、全体的強度にかなり多い支持を提供することができる。箱体内に液体貨物を盛る場合に、ゆれ、急加減速など、輸送中における状況に伴って、液体が箱体内に激しく揺れ動く。この時、蓋は、液体の波動の度合いを効果的に低減することができ、ライナーバッグは過度の力を受けて破損されることがなく、液体貨物の安全性が保証される。
【０００３】
大型容器に対する蓋の作用は、２つの容器を積み重ねたときに、蓋が上層の容器の各水平方向への移動を制限でき、上層の容器が簡単に倒れないことにある。現在、ほとんどの容器の蓋は、４〜８個の手動操作の蓋ロックを有し、蓋ロックは、蓋と箱体を接続する横ラッチを有する。この構造の蓋は、容器の機能上の要求をある程度満たしているが、ロックの使用は不便になり、ロックを損傷しやすいものである。
【０００４】
ＣＮ１０４５９０７８７Ａは、新しい蓋ロック構造を開示している。この弾性リセット付きロック構造では、上記構造における蓋ロックの不便さを減少し、操作が相対的に簡単であるが、特定の側面のみにロック構造をアンロックできる。
【先行技術文献】
【特許文献】
【０００５】
【特許文献１】中国特許出願公開第１０４５９０７８７号公報
【発明の概要】
【０００６】
本発明は、いずれか一側に容器の蓋をアンロックすることができる容器を提供することを目的とする。
【０００７】
上記目的を達成するために、本発明は、ベースと、２対の対向する側板及び蓋を含み、２対の対向する前記側板は、いずれも前記ベースに接続されており、前記蓋は、ロック装置を介して前記側板の頂部にロックされることができ、前記容器の４つの頂角のいずれにも、前記ロック装置が１つずつ設けられており、４つの前記ロック装置は、前記蓋の対応する対角線に沿って２つずつ対向して配置されており、それぞれの前記ロック装置は、前記蓋に設置される１つのロッキングタング部材（ｌｏｃｋｉｎｇ ｔｏｎｇｕｅ ｍｅｍｂｅｒ）と、対応する前記側板に設置される１つのロッキングスロット（ｌｏｃｋｉｎｇ ｓｌｏｔ）を含み、前記ロッキングタング部材は、ロッキングタングを有し、前記ロッキングタングが前記ロッキングスロットに差し込まれることにより、前記蓋が前記側板にロックされることができ、且つ前記ロッキングタングが前記ロッキングスロットから離脱されることにより、前記蓋をアンロックすることができるように、前記蓋に対して移動可能に配置され、それぞれの前記ロッキングスロットは、前記蓋の対応する対角線方向に沿って、外へ前記側板から延出される容器を提供する。
【０００８】
好ましくは、前記容器の角部毎に、前記蓋から上に突出する１つの突起が設けられ、すべての前記突起の外部形状がいずれも同じであり、それぞれの前記突起の形状は、前記蓋の対応する対角線に関して対称であり、前記ロック装置は、前記突起の内に取り付けられ、前記容器のベースの４つの角部に、位置及び形状が前記突起の位置及び形状に合わせる窪みが設けられている。
【０００９】
好ましくは、前記突起は、前記蓋から上に一体的に突出する。
【００１０】
好ましくは、前記ロック装置は、操作部材及び回復部材をさらに有し、前記操作部材は、前記蓋にスライド可能に取り付けられ、前記ロッキングタング部材と接続され、前記回復部材は、前記操作部材が緩められた後に前記ロッキングタング部材がリセットされるように配置されている。
【００１１】
好ましくは、前記ロッキングタング部材は、棒状本体を有し、該棒状本体の一端から下に垂直棒が延出し、該垂直棒の末端から前記棒状本体に平行な方向に沿って前記棒状本体の他端に向けてロッキングタングが延出する。
【００１２】
好ましくは、前記操作部材は、板状本体を有し、前記板状本体の一端に、下に凹む操作部が設けられ、前記板状本体の他端の両側に下に延びる側壁が形成され、前記側壁の下縁にガイドレールが設けられ、前記ガイドレールは、スライド可能に前記蓋の内に取り付けられ、前記板状本体の中部から下に取付柱が延出し、前記ロッキングタング部材の前記棒状本体に取付孔が設けられ、前記取付柱が前記取付孔に挿入される。
【００１３】
本発明は、ベースと、２対の対向する側板及び蓋を含み、２対の対向する前記側板は、いずれも前記ベースに接続されており、前記蓋は、ロック装置を介して前記側板の頂部にロックされることができ、前記容器の４つの頂角のいずれにも、前記ロック装置が１つずつ設けられており、それぞれの前記ロック装置は、前記蓋に設置される１つのロッキングタング部材と、対応する前記側板に設置される１つのロッキングスロットを含み、前記ロッキングタング部材は、ロッキングタングを有し、前記ロッキングタングが前記ロッキングスロットに差し込まれることにより、前記蓋が前記側板にロックされることができ、且つ前記ロッキングタングが前記ロッキングスロットから離脱されることにより、前記蓋をアンロックすることができるように、前記蓋に対して移動可能に配置され、２対の相対する側板のうちの１対の側板のうちのそれぞれの側板の上部の両端に、前記ロッキングスロットが１つずつ設けられ、前記ロッキングスロットが凹溝であり、該凹溝の一端は、該側板の縁から所定の距離にあり、該凹溝の他端は、前記蓋に平行な方向に沿って該側板の縁から延出し、前記ロッキングスロットが設けられる１対の相対する側板のうちの１つの側板と同じ側に配置される２つの前記ロック装置のアンロック方向は同じであり、該アンロック方向は、該対の相対する側板のうちのもう１つの側板と同じ側に配置される２つのロック装置のアンロック方向とは反対である容器をさらに提供する。
【００１４】
好ましくは、前記容器の角部毎に、前記蓋から上に突出する１つの突起が設けられ、すべての前記突起の外部形状がいずれも同じであり、それぞれの前記突起の形状は、前記蓋の対応する対角線に関して対称であり、前記ロック装置は、前記突起の内に取り付けられ、前記容器のベースの４つの角部に、位置及び形状が前記突起の位置及び形状に合わせる窪みが設けられている。
【００１５】
好ましくは、前記突起は、前記蓋から上に一体的に突出する。
【００１６】
好ましくは、前記ロック装置は、操作部材及び回復部材をさらに有し、前記操作部材は、前記蓋にスライド可能に取り付けられ、前記ロッキングタング部材と接続され、前記回復部材は、前記操作部材が緩められた後に前記ロッキングタング部材がリセットされるように配置されている。
【００１７】
好ましくは、前記ロッキングタング部材は、棒状本体を有し、該棒状本体の一端から下に垂直棒が延出し、該垂直棒の末端から前記棒状本体に平行な方向に沿って前記棒状本体の他端に向けてロッキングタングが延出する。
【００１８】
好ましくは、前記操作部材は、板状本体を有し、前記板状本体の一端に、下に凹む操作部が設けられ、前記板状本体の他端の両側に下に延びる側壁が形成され、前記側壁の下縁にガイドレールが設けられ、前記ガイドレールは、前記蓋の内にスライド可能に取り付けられ、前記板状本体の中部から下に取付柱が延出し、前記ロッキングタング部材の前記棒状本体に取付孔が設けられ、前記取付柱が前記取付孔に挿入される。
【００１９】
本発明は、ベースと、２対の対向する側板及び蓋を含み、２対の対向する前記側板は、いずれも前記ベースに接続されており、前記蓋は、ロック装置を介して前記側板の頂部にロックされることができ、前記容器の４つの頂角のいずれにも、前記ロック装置が１つずつ設けられており、それぞれの前記ロック装置は、前記蓋に設置される１つのロッキングタング部材と、対応する前記側板に設置される１つのロッキングスロットを含み、前記ロッキングタング部材は、ロッキングタングを有し、前記ロッキングタングが前記ロッキングスロットに差し込まれることにより、前記蓋が前記側板にロックされることができ、且つ前記ロッキングタングが前記ロッキングスロットから離脱されることにより、前記蓋をアンロックすることができるように、前記蓋に対して移動可能に配置され、２対の相対する側板のうちの１対の側板のうちのそれぞれの側板の上部の両端に、前記ロッキングスロットが１つずつ設けられ、前記ロッキングスロットが前記側板の上部両端に設けられる凹溝であり、該凹溝の一端は、該側板の縁から所定の距離にあり、該凹溝の他端は、ガイド斜面が設けられ、前記ロッキングスロットが設けられる１対の相対する側板のうちの１つの側板と同じ側に配置される２つの前記ロック装置のアンロック方向は同じであり、該アンロック方向は、該対の相対する側板のうちのもう１つの側板と同じ側に配置される２つのロック装置のアンロック方向とは反対である容器をさらに提供する。
【００２０】
好ましくは、前記容器の角部毎に、前記蓋から上に突出する１つの突起が設けられ、すべての前記突起の外部形状がいずれも同じであり、それぞれの前記突起の形状は、前記蓋の対応する対角線に関して対称であり、前記ロック装置は、前記突起の内に取り付けられ、前記容器のベースの４つの角部に、位置及び形状が前記突起の位置及び形状に合わせる窪みが設けられている。
【００２１】
好ましくは、前記突起は、前記蓋から上に一体的に突出する。
【００２２】
好ましくは、前記ロック装置は、操作部材及び回復部材をさらに有し、前記操作部材は、前記蓋にスライド可能に取り付けられ、前記ロッキングタング部材と接続され、前記回復部材は、前記操作部材が緩められた後に前記ロッキングタング部材がリセットされるように配置されている。
【００２３】
好ましくは、前記ロッキングタング部材は、棒状本体を有し、該棒状本体の一端から下に垂直棒が延出し、該垂直棒の末端から前記棒状本体に平行な方向に沿って前記棒状本体の他端に向けてロッキングタングが延出する。
【００２４】
好ましくは、前記操作部材は、板状本体を有し、前記板状本体の一端に、下に凹む操作部が設けられ、前記板状本体の他端の両側に下に延びる側壁が形成され、前記側壁の下縁にガイドレールが設けられ、前記ガイドレールは、前記蓋の内にスライド可能に取り付けられ、前記板状本体の中部から下に取付柱が延出し、前記ロッキングタング部材の前記棒状本体に取付孔が設けられ、前記取付柱が前記取付孔に挿入される。
【００２５】
好ましくは、上記の各容器は、長さが８００ｍｍよりも大きく、幅が６００ｍｍよりも大きく、高さが５００ｍｍよりも大きい容器である。 例えば、上記の容器はＩＢＣ容器である。
【００２６】
本発明の容器は、以下の有益な効果を有する。
１.いずれか一側から容器の蓋をアンロックすることができ、即ち、いわゆる４方向アンロックが可能である。
２.蓋が正方形である容器について、いずれか一側から蓋と側板を締めることを許容し、上層の容器が積み重ねるときにいずれか一側から下層の容器と積み重ねることを許容する。
【図面の簡単な説明】
【００２７】
【図１】本発明のロック装置が設けられる容器の構成を示す斜視図である。
【図２】図１の蓋及びその上のロック装置の断面図である。
【図３】図１のロッキングスロットが設けられる側板の正面図である。
【図４】図３の側板の外板の構造図である。
【図５】本発明の一実施例のロック装置の操作部材の斜視図である。
【図５Ａ】図５の操作部材の別の斜視図である。
【図６】図５の操作部材と合わせるロッキングタング部材の斜視図である。
【図６Ａ】上記のロック装置の組立図である。
【図６Ｂ】蓋がロック状態にあるときのロック部位の部分断面図である。
【図６Ｃ】蓋がアンロック状態にあるときのロック部位の部分断面図である。
【図６Ｄ】図３の切断線Ｃ−Ｃに沿った一部切り欠きの拡大図であり、ロッキングタングの運動軌跡を模式的に示している。
【図７】第１のアンロック方向に沿って蓋のアンロックを行う概略図である。
【図８】第１のアンロック方向に沿って蓋のアンロックを行う概略図である。
【図９】第２のアンロック方向に沿って蓋のアンロックを行う概略図である。
【図１０】第２のアンロック方向に沿って蓋のアンロックを行う概略図である。
【図１１】本発明の他の実施例のロック装置が設けられる容器の側板の正面図である。
【図１２】図１１のＡ部の拡大図。
【図１２Ａ】図３の切断線Ｄ−Ｄに沿った一部切り欠きの拡大図であり、ロッキングタングの運動軌跡を模式的に示している。
【図１３】本発明の他の実施例に係るロック装置が設けられる容器の斜視図である。
【図１４】ベース構造を示す図１３の容器の別の斜視図である。
【図１５】図１３の容器の平面図である。
【図１６】図１５のＡ−Ａ線に沿った一部切り欠き拡大図である。
【図１７】図１３の容器の側面図である。
【図１８】図１７のＢ−Ｂ線に沿った一部切り欠き拡大図である。
【図１９】２つの図１３の容器を互いに積み重ねた構造図である。
【図２０】２つの図１３の容器を互いに積み重ねた別の構造図であり、図１９と比較して、上層の容器が下層の容器に対して９０度回転している。
【発明を実施するための形態】
【００２８】
以下、本発明の目的、特徴及び利点をより明確に理解するために、添付図面を参照して、本発明の好適な実施例について詳細に説明する。添付図面に示す実施例は、本発明の範囲を限定するものではなく、単に本発明の技術案の実質的精神を説明するためのものであると理解されるべきである。
【００２９】
以下の説明では、開示された各実施例を説明する目的として、開示された各実施例を完全に理解するために、何らかの具体的な詳細を記載する。しかしながら、当業者は、これらの具体的な詳細の１つ或いは幾つかがない場合は、実施例を実施できることを認識するべきである。他の場合では、実施例の説明を不必要に曖昧にすることを避けるために、本出願に関連する周知のデバイス、構造、および技術は詳細に開示されていないか、または記載されていなかった可能性がある。
【００３０】
文脈で特に必要とされない限り、明細書および請求の範囲を通して、「備える」という言葉とそのバリエーション、例えば「含む」や「有する」などの用語は、オープンであり、備えると理解するべきであり、「含む」の意味は「それを含むが、それに限定されない」と解釈されるべきである。
【００３１】
明細書全体にわたる「１つの実施例」または「一実施例」への言及は、実施例に説明される特定の特点、構造、または特徴が少なくとも1つの実施例に含まれることを意味する。そのため、明細書全体の各箇所での「１つの実施例において」または「一実施例では」の表現は、必ずしもすべてが同じ実施例を指しているわけではない。また、特定の特点、構造、または特徴が１つまたは複数の実施例で任意の方法で組み合わせることができる。
【００３２】
本明細書および添付の請求の範囲で使用されるように、単数形「一」及び「前記」は、文脈がそうでないことを明確に記載しない限り、複数の指示対象も含む。「または」という用語は、文脈がそうでないことを明確に示さない限り、「および/或いは」を含む意味で一般的に使用されることである。
【００３３】
以下の説明では、本発明の構造及び動作方式をより明瞭に表現するために、多くの方向性言葉により説明するが、「前」、「後」、「左」、「右」、「外」、「内」、「外に向く」、「内に向く」、「上」、「下」等の言葉を説明の便宜上の言葉と理解するべきであり、限定性言葉と理解するべきではない。
【００３４】
図１は、本発明の一実施例に係るロック装置が設けられる容器１００である。該容器１００は、ベース１、２対の対向する側板２及び３、及び蓋４を含む。２対の対向する側板がいずれもベース1に接続されている。本実施例では、４つの側板は、いずれもベース１に折畳可能に接続されている。隣接する側板は、咬合構造を介して互いに咬合している。 ２対の対向する側板のうちの１対の対向する側板３には、小扉５とハンドル６が設けられている。小扉５は、容器内の貨物へのアクセスを容易にするために開くことができる。ハンドル６は、容器の側板の操作を容易にする。蓋４は、ロック装置７を介して側板の頂部にロックされることができる。容器１００の４つの角部のいずれにも、ロック装置７が１つずつ設けられている。本実施例では、容器１００の角部毎に、蓋４から一体的に上に突出する突起１１が設けられている。ロック装置７は、突起１１内に取り付けられている。
【００３５】
本明細書のロック装置７は、例えばＩＢＣ容器などの大型の容器に特に適している。このような大型の容器は、サイズが大きく、普通の人が容器の一側に立っているとき、通常、対向する側のロック装置を操作することは難しい。このような容器の長さは通常８００ｍｍよりも大きく、幅が６００ｍｍよりも大きく、高さが５００ｍｍよりも大きい。
【００３６】
図２〜図４に示すように、ロック装置７は、蓋に設けられるロッキングタング部材８と、操作部材９と、対応する側板に設けられるロッキングスロット１０とを含む。１対の対向する側板のうちそれぞれの側板２の上部の両端に、ロッキングスロット１０が１つずつ設けられている。ロッキングタング部材８は、操作部材９の操作により、蓋１に対して移動可能に構成されている。ロッキングタング部材８及びロッキングスロット１０は、ロッキングタング部材８がロッキングスロット１０に差し込まれることにより、蓋４を側板２にロックし、且つ蓋１のいずれか一側に同時に該両側に位置する２つのロック装置７をアンロックした後に蓋１を側板から取り外すことができるように配置されている。ここで、アンロックは、通常、ロッキングタング部材８を側板に対して外に移動させることによって実現される。
【００３７】
図示の実施例では、小扉５とハンドル６は、容器１００の第１の対の対向する側板３に配置されている。ロッキングスロット１０は、容器の第２の対の対向する側板２に設けられる。容器１００の第２の対の対向する側板２のうちの１つの側板と同じ側に配置される２つのロック装置のアンロック方向は、同じであり、即ち、同じ方向に運動することによりアンロックを実現する。容器１００の第２の対の対向する側板２のうちの１つの側板と同じ側に配置される２つのロック装置のアンロック方向と、第２の対の対向する側板のうちのもう１つの側板と同じ側に配置される２つのロック装置のアンロック方向は反対である。
【００３８】
図３〜４及び図６Ｄを参照すると、側板２におけるロッキングスロット１０は凹溝である。該凹溝は、該側板の縁から所定の距離で始まり、蓋４に平行な方向に沿って該側板の縁から延出する。つまり、ロッキングスロット１０の末端は開放されている。好ましくは、ロッキングスロットの長さは２ｍｍ〜１０ｍｍである。より好ましくは、ロッキングスロットの長さは３ｍｍ〜８ｍｍである。
【００３９】
本実施例では、側板２は、内板と外板とを半田付けて形成されている。外板２０１の外面は平滑面であり、内面に補強リブが設けられている。ロッキングスロット１０は、外板２０１の外面に配置されている。側板内のロッキングスロット１０が設けられる位置に対応する位置に補強リブ２０２が設けられており、該補強リブ２０２の分布密度は、該側板の残りの部位の補強リブの分布密度よりも大きい。
【００４０】
図２及び図５〜６を参照すると、ロック装置７の操作部材９は、板状本体９０１を有する。板状本体９０１の一端に、上面から下に凹んだ操作部９０４が設けられている。板状本体９０１の他端の両側に下に延びる側壁９０２が形成されている。側壁９０２の下縁に、ガイドレール９０３が設けられている。ガイドレール９０３は、蓋４内にスライド可能に取り付けられている。板状本体９０１の中部から下に取付柱９０５が延出する。板状本体の下面からストッパー部９０６がさらに延出している。
【００４１】
図６を参照すると、ロッキングタング部材８は、棒状本体８０１を有する。該棒状本体８０１の一端から下に垂直棒８０２が延出している。該垂直棒８０２の末端から棒状本体８０１に平行な方向に沿って棒状本体８０１の他端に向かってロッキングタング８０３が延出する。棒状本体８０１に、取付孔８０４が設けられている。操作部材９の取付柱９０５は、取付孔８０４に挿入されて操作部材９とロッキングタング部材８とを互いに接続する。
【００４２】
ロック装置７は、操作部材９が緩められた後にロッキングタング部材８がリセットされ、即ちロッキングタング部材を引っ込めた状態に保持するように配置される回復部材１５をさらに有する。具体的には、本実施例では、回復部材はバネ１５である。図６Ｂ及び図６Ｃに示すように、バネ１５は、蓋４に収容されている。バネの一端は操作部材のストッパー部９０６に当接し、バネの他端は蓋の内のストッパー板４０１に当接する。これにより、図６Ｃに示すように、アンロックをすると、バネ１５は圧縮されて回復力を提供する。図６Ｂに示すように、操作者が手を放した後、バネ１５がリセットして操作部材９を駆動してリセットし、操作部材９がロッキングタング部材８を駆動してリセットし、ロック装置が再びロック状態になる。
【００４３】
図７及び図８は、第１のアンロック方向に沿って蓋のアンロックを行う概略図である。図７〜８に示すように、操作者が側板2の側に立って蓋のロックを解除する場合、最初にこの側の２つのロック装置７を同時にアンロックし、即ち、これらの2つのロック装置７のロッキングタングを同じ方向へ引き出す。次に、蓋４を対向側の側板方向に向かって押して、蓋のアンロックを実現する。操作者が該側板２と対向する側板の側に立って蓋のアンロックをする場合に、操作方式は同じである。
【００４４】
図９及び図１０は、第２のアンロック方向に沿って蓋のアンロックを行う概略図である。図９〜１０に示すように、操作者が側板３の側に立って蓋のアンロックをするときは、最初にこの側の２つのロック装置7を同時にアンロックし、即ち、これらの２つのロック装置を反対方向に引き出す。次に、蓋４を対向側の側板方向に向かって押して、蓋のアンロックを実現する。操作者が該側板３と対向する側板の側に立って蓋のアンロックをする場合に、操作方式は同じである。
これにより、いずれかの側板が位置する側に蓋をアンロックすること、即ち、いわゆる四方向アンロックを実現できる。
【００４５】
図１１〜１２及び図１２Ａは、本発明の他の実施例のロック装置が設けられる容器の側板の構成を示す。図１１〜１２に示されるように、本実施例と上記の実施例との相違は、側板におけるロッキングスロットの形状にある。本実施例では、ロッキングスロットは、側板の上部の両端に設けられる凹溝１２である。該凹溝１２の一端は、該側板の縁から所定の距離にある。凹溝１２は、蓋に平行な方向に沿って側板の縁に向かってある距離を延ばす。該凹溝１２の一部の底部から上に１つのガイド部１４がさらに延出し、該ガイド部は、底部が広く頂部が狭い楔形を呈す。ガイド部１４に、ガイド斜面１３が設けられている。ロッキングタング８０３は、対応するロック装置のアンロックを実現するように、該ガイド斜面の作用で側板の外部に向かって運動することができる。この実施例では、凹溝の一部、例えば、凹溝の他端にガイド斜面が設けられる限り、凹溝は、側板の縁から延出してもよく、側板の縁から延出しなくてもよい。
【００４６】
図１３〜２０は、本発明の別の実施例のロック装置が設けられる容器２００の概略構造図を示している。本実施例と上記実施例との主な相違点は、ロック装置の配置位置であり、ロック装置における操作部材及びロッキングタング部材は、上記実施例と同様であるので、詳細な説明は省略する。本実施例では、同様に、容器の４つの頂角のいずれにも、ロック装置１６が１つずつ設けられている。４つのロック装置１６は、蓋１７の対応する対角線に沿って２つずつ対向して配置され、それぞれのロック装置１６は、蓋に設けられる１つの上記操作部材９、上記ロッキングタング部材８及び対応する側板に設けられる１つのロッキングスロット１８を含む。ロッキングタング部材８は、ロッキングタングを有し、ロッキングタングがロッキングスロットに差し込まれることにより、蓋が側板にロックされることができ、且つロッキングタングがロッキングスロットから離脱されることにより、蓋をアンロックすることができるように、蓋１７に対して移動可能に配置される。それぞれのロッキングスロット１８は、蓋の対応する対角線方向に沿って外へ側板から延出する。
【００４７】
２つずつの隣接する側板の交差するコーナーの上部に、ロッキングスロット１８が１つずつ設けられている。図１７〜図１８に示すように、ロッキングスロット１８は、側板２ａのコーナーの外側に配置されている。ロッキングスロット１８の幅は、対向するもう１つの側板にある２つのロック装置がアンロックされた後、蓋が側板２ａに向かって押されると、側板２ａ側の２つのロック装置のロッキングタングがロッキングスロット１８から離脱されることができるように十分に広くする必要がある。さらに、それぞれのロッキングスロット１８は、蓋１７の対応する対角線に関して対称である。
【００４８】
図１５〜１６に示すように、容器２００の角部毎に、蓋１７から上に突出する１つの突起１９が設けられている。つまり、蓋１７には、合計４つの突起１９が設けられている。すべての突起１９の外部形状は同じであり、それぞれの突起１９の形状は、前記蓋の対応する対角線に関して対称である。突起１９の形状は楕円状であってもよく、その長軸は蓋の対角線と重合する。もちろん、突起の中心軸線が蓋の対角線と重合し、且つ突起の形状がその中心軸線に関して対称である限り、突起１９は円形または長方形であってもよい。好ましくは、突出１９は、蓋１７から上に一体的に突出する。他の一実施例では、突出１９は、１つの個別の部材として蓋に取り付けられることもできる。
【００４９】
ロック装置１６は、突出１９内に取り付けられる。ロック装置１６のロッキングタング部材８は、アンロック時に蓋に対するロッキングタング部材８の運動方向が蓋の対応する対角線と重合するように取り付けられる。
【００５０】
アンロックするときに、蓋のいずれか一側に該側に位置する２つのロック装置を同時にアンロックし、即ち、ロッキングタングを蓋の対角線方向Iに沿って引き出し、その後、蓋を方向IIIに押し出して、蓋をアンロックし側板から取り除くことができる。図１３に示すように、異なる側で操作する場合に、ロッキングタングの可能な運動方向を図１８に示す。
【００５１】
図１４に示すように、容器２００のベース２０の４つの角部には、位置及び形状が突起１９の位置及び形状に合わせる窪み２１が設けられている。窪み２１は、容器２００を互いに積み重ねたときに、容器の位置を制限するために使用される。具体的には、容器２００を互いに積み重ねると、突起１９が窪み２１内に配置され、これにより、上層の容器が下層の容器に対して位置決めされる。すべての突起１９の外部形状は同じであり、且つそれぞれの突起１９の形状は前記蓋の対応する対角線に関して対称であるから、図１９〜２０に示すように、容器の蓋が方形である蓋の場合には、いずれか一側から蓋と側板を締めることを許容し、容器を互いに積み重ねると、上層の容器が積み重ねるときにいずれか一側から下層の容器と積み重ねることを許容する。
【００５２】
実際の使用とテストデータによると、蓋におけるロック構造が箱体の頂角に近いほど、そのロック機能が安定する。これは、使用時の容器の頂角の変形量が他の位置より小さく、ロック構造のロック効果が相対的により安定し、同時に、蓋の構造からみて、箱体内の液体の衝撃に抵抗する蓋の強度は、ロック構造が４つの頂角の位置に近い時に最高であるからである。
【００５３】
以上、本発明の好ましい実施例を詳細に説明したが、必要に応じて、実施例の態様を変更して、様々な特許、出願、および刊行物の態様、特徴、および概念を採用して、追加の実施例を提供できることを理解されるべきである。
【００５４】
上記の詳細な説明を考慮して、実施例に対するこれらおよび他の変更が可能である。一般的に言えば、特許請求の範囲において、使用される用語は、明細書および特許請求の範囲に開示される具体的な実施例を限定するものとして解釈されるべきではなく、これらの請求項が享受するすべての均等物とともにすべての可能な実施例を含むものとして解釈されるべきである。
【図１】
2021512823.tif 000003
【図２】
2021512823.tif 000004
【図３】
2021512823.tif 000005
【図４】
2021512823.tif 000006
【図５】
2021512823.tif 000007
【図５Ａ】
2021512823.tif 000008
【図６】
2021512823.tif 000009
【図６Ａ】
2021512823.tif 000010
【図６Ｂ】
2021512823.tif 000011
【図６Ｃ】
2021512823.tif 000012
【図６Ｄ】
2021512823.tif 000013
【図７】
2021512823.tif 000014
【図８】
2021512823.tif 000015
【図９】
2021512823.tif 000016
【図１０】
2021512823.tif 000017
【図１１】
2021512823.tif 000018
【図１２】
2021512823.tif 000019
【図１２Ａ】
2021512823.tif 000020
【図１３】
2021512823.tif 000021
【図１４】
2021512823.tif 000022
【図１５】
2021512823.tif 000023
【図１６】
2021512823.tif 000024
【図１７】
2021512823.tif 000025
【図１８】
2021512823.tif 000026
【図１９】
2021512823.tif 000027
【図２０】
2021512823.tif 000028
【国際調査報告】
2021512823.tif 000029
2021512823.tif 000030
2021512823.tif 000031
2021512823.tif 000032
2021512823.tif 000033